(57)【特許請求の範囲】
【請求項１】
生体情報を用いて個人認証を行う個人認証装置であって、前記生体情報と個人認証用の組合せ照合情報との双方を入力して、前記生体情報と前記組合せ照合情報とのそれぞれが個人認証用の登録データベースに登録されていた場合に、個人認証が得られる個人認証装置において、
前記組合せ照合情報が、前記登録データベースの領域を区分する区分コードと個人の秘密となる暗証情報との組合せにより構成されており、かつ、前記区分コードが、前記生体情報に関する他人許容率に基づいて、他人を誤認しない最大標本数以下の範囲内に前記登録データベースの全母集団を区分したデータベース区分を特定する情報であり、
入力された前記生体情報を前記登録データベースに登録された個人認証用の生体情報と照合する際に、当該生体情報とともに入力された前記組合せ照合情報に含まれる前記区分コードにより指定された前記データベース区分に範囲内に限って、登録された個人認証用の生体情報と照合し、
入力された前記生体情報と前記区分コードにより指定された前記データベース区分内の個人認証用の生体情報とが一致する個人レコードが検出された場合、さらに、当該個人レコードに記憶されている個人認証用の暗証情報と、生体情報とともに入力された前記組合せ照合情報に含まれる前記暗証情報との照合を行い、両者の暗証情報が一致していた場合に、個人認証が得られることを特徴とする、個人認証装置。
【請求項２】
前記登録データベースに必要に応じて個人識別用の個人ＩＤ情報を、個人認証用の前記生体情報と前記暗証情報とともに記憶し、入力された前記生体情報と前記組合せ照合情報との照合により個人認証が得られた前記個人レコードに前記個人ＩＤ情報が記憶されている場合、該個人ＩＤ情報を読み出して、前記生体情報と前記組合せ照合情報とを入力したユーザが起動しようとしている機能に対して、自動的に出力することを特徴とする請求項１に記載の個人認証装置。
【請求項３】
生体情報を用いて個人認証を行う個人認証方法であって、前記生体情報と個人認証用の組合せ照合情報との双方を入力して、前記生体情報と前記組合せ照合情報とのそれぞれが個人認証用の登録データベースに登録されていた場合に、個人認証が得られる個人認証方法において、
前記組合せ照合情報が、前記登録データベースの領域を区分する区分コードと個人の秘密となる暗証情報との組合せにより構成されており、かつ、前記区分コードが、前記生体情報に関する他人許容率に基づいて、他人を誤認しない最大標本数以下の範囲内に前記登録データベースの全母集団を区分したデータベース区分を特定する情報であり、
入力された前記生体情報を前記登録データベースに登録された個人認証用の生体情報と照合する際に、当該生体情報とともに入力された前記組合せ照合情報に含まれる前記区分コードにより指定された前記データベース区分に範囲内に限って、登録された個人認証用の生体情報と照合し、
入力された前記生体情報と前記区分コードにより指定された前記データベース区分内の個人認証用の生体情報とが一致する個人レコードが検出された場合、さらに、当該個人レコードに記憶されている個人認証用の暗証情報と、生体情報とともに入力された前記組合せ照合情報に含まれる前記暗証情報との照合を行い、両者の暗証情報が一致していた場合に、個人認証が得られることを特徴とする、個人認証方法。
【請求項４】
前記登録データベースに必要に応じて個人識別用の個人ＩＤ情報を、個人認証用の前記生体情報と前記暗証情報とともに記憶し、入力された前記生体情報と前記組合せ照合情報との照合により個人認証が得られた前記個人レコードに前記個人ＩＤ情報が記憶されている場合、該個人ＩＤ情報を読み出して、前記生体情報と前記組合せ照合情報とを入力したユーザが起動しようとしている機能に対して、自動的に出力することを特徴とする請求項３に記載の個人認証方法。
【請求項５】
請求項３又は４に記載の個人認証方法を、コンピュータにより実行可能なプログラムとして実施していることを特徴とする個人認証プログラム。
【請求項６】
請求項５に記載の個人認証プログラムを、コンピュータにより読み取り可能な記録媒体に記録していることを特徴とするプログラム記録媒体。
【発明の詳細な説明】
【技術分野】
【０００１】
本発明は、個人認証装置、個人認証方法、個人認証プログラムおよびプログラム記録媒体に関し、特に、生体情報を用いる個人認証装置、個人認証方法、個人認証プログラムおよびプログラム記録媒体に関する。特に、一つの情報端末を不特定多数のユーザが使用するシステムであって、使用するユーザ本人が、システムに正しく本人であることを認識されなければならないようなシステムに好適に適用される。
【背景技術】
【０００２】
近年、バイオメトリクス(生体測定学)技術の急速な進歩により、特許文献１の特開２００２−９９５１５号公報「指紋認証システムおよび指紋認証装置」などにも記載されているように、例えば、指紋をパスワードに代わる個人認証情報として用いる仕組みが取り入れられたシステムが提供されるようになってきている。
【特許文献１】特開２００２−９９５１５号公報（第４−６頁）
【発明の開示】
【発明が解決しようとする課題】
【０００３】
しかしながら、前記特許文献１のように、指紋などの生体情報は、バイオメトリクス(生体測定学)技術を用いることにより、個々に識別することができるため、しばしば、パスワード代わりに使われるが、このような生体情報に関しては、元の情報がどこにあるかは、常に、明らかであり、したがって、盗み出すチャンスは多く、その一方で改変することができないことから、一種の公開情報といっても良く、秘密情報であるべきパスワードには、本来、置き換えられない性格のものである。
【０００４】
一方では、生体情報を、個人を特定するＩＤ（Identification：アイデンティフィケーション）情報として利用することは有効と考えられるが、実際には、誤一致や誤不一致があるレベルで発生してしまうため、大規模な母集団の中から特定の個人を検索するために、生体情報の照合だけに頼ることは難しい。
【０００５】
例えば、最高精度の指紋認証の場合、他人許容率が０．０００１％程度と言われているが、１，０００，０００対の異なる組み合わせを作るのに必要な母集団は１，４００人強であり、さらに、一人が２本の指を登録して照合に用いるとすると、組み合わせは４倍になるため、ある指を入力したときに他人と間違えずにその人を選び出せる母集団の最大標本数は、高々３５０人ほどにしかならない。このように、照合検索を行う際の最大標本数は、照合の際の他人許容率つまり誤認率によって制限されてしまう。
【０００６】
これを補う目的で、通し番号などからなる個人ＩＤを指紋と同時に入力する方法もあるが、指紋も個人ＩＤも個人を示す公開された情報に過ぎないため、両者を入力することはあまり意味がない。
【０００７】
このように、生体照合を用いる個人認証では、その本来の性質を生かした使い方が行われていない状況がある。
【０００８】
本発明は、かかる事情に鑑みてなされたものであり、生体情報の照合と区分コード・暗証番号の組合せ照合情報の照合とを併用することにより、確実に個人認証を行うことを可能とする個人認証装置、個人認証方法、個人認証プログラムおよびプログラム記録媒体を提供することを、その目的としている。
【課題を解決するための手段】
【０００９】
前述の課題を解決するため、本発明による個人認証装置、個人認証方法、個人認証プログラムおよびプログラム記録媒体は、次のような特徴的な構成を採用している。
【００１０】
（１）生体情報を用いて個人認証を行う個人認証装置であって、前記生体情報と個人認証用の組合せ照合情報との双方を入力して、前記生体情報と前記組合せ照合情報とのそれぞれが個人認証用の登録データベースに登録されていた場合に、個人認証が得られる個人認証装置において、前記組合せ照合情報が、前記登録データベースの領域を区分する区分コードと個人の秘密となる暗証情報との組合せにより構成されており、かつ、前記区分コードが、前記生体情報に関する他人許容率に基づいて、他人を誤認しない最大標本数以下の範囲内に前記登録データベースの全母集団を区分したデータベース区分を特定する情報である個人認証装置。
【発明の効果】
【００１１】
本発明の個人認証装置、個人認証方法、個人認証プログラムおよびプログラム記録媒体によれば、以下のような効果を得ることができる。 
【００１２】
組合せ照合情報に含まれる区分コードは、生体情報の照合検索の対象となる母集団を指定するものであり、各母集団は、生体照合における他人許容率の制限からくる最大標本数以下であるため、同じ母集団中で他人を誤って選んでしまう誤認をほぼ完全に除去することができ、また、照合検索の対象標本数も限られるため、照合検索処理全体を短い時間で終わらせることができる。
【００１３】
生体情報そのものは、秘密情報にはなり得ないが、組合せ照合情報に含まれる暗証情報は、通常のパスワードと同様に、個人管理を行うことが可能な秘匿性を有する秘密情報であり、これにより、セキュリティを実現することが可能になる。
【００１４】
生体情報とともに入力する組合せ照合情報は、従来の個人ＩＤと比較してさほど長いものではなく、また、一つの情報であるため、記憶の負担が少なくて済み、生体照合のメリットである簡便さを大きく損なうことがない。
【発明を実施するための最良の形態】
【００１５】
以下、本発明による個人認証装置、個人認証方法、個人認証プログラムおよびプログラム記録媒体の好適な実施形態について添付図を参照して説明する。なお、以下の説明においては、本発明による個人認証装置、個人認証方法について説明するが、かかる個人認証方法をコンピュータにより実行可能な個人認証プログラムとして実施するようにしても良いし、あるいは、個人認証プログラムをコンピュータにより読み取り可能な記録媒体に記録するようにしても良いことは言うまでもない。
【００１６】
（本発明の特徴）
本発明の実施例の説明に先立って、本発明の特徴の概要について、まず説明する。本発明は、生体照合を含む個人を特定することができる情報を入力し、多くのユーザの個人認証情報に関するレコードが登録された登録データベース内で、入力情報を照合検索し、一致するものを選び出すことによって、個人を認識、確認する個人認証装置において、生体情報とともに入力する個人を特定する情報が、データベース指定情報と秘匿性を有する暗証情報とを一つにした組合せ照合情報であり、かつ、そのデータベース指定情報は、生体照合の他人許容率に基づく最大標本数を上回らないように分割した登録データベースの区分を指定することを特徴としている。
【００１７】
さらに説明すると、本発明は、他人許容率の制限から来る最大数制限を超える人数の母集団を扱うことを可能とするために、母集団全体を最大数制限以下の区分（小集団）に分割して、各区分それぞれに短い区分コードを与えるとともに、秘匿性確保のための暗証情報（パスワード）を与え、区分コードと暗証情報（パスワード）とを組み合わせた一つの組合せ照合情報を、生体情報と同時に用いることにより、生体情報の検索照合時には、全体の母集団の中から、組合せ照合情報中の区分コードによって指定された区分に限って、生体照合を行って、暗証情報が登録されている個人レコードの検索を行い、生体照合結果が一致して候補となった個人レコード中の暗証情報と組合せ照合情報中の暗証情報とを照合することによって、個人認証を実現することを特徴としている。
【００１８】
つまり、本発明による個人認証方法は、図１に示すように、個人単位に個人認証用の情報を記録した個人レコードが登録された登録データベース２００を検索して、各個人レコードの中の生体情報と入力された生体情報０１を順次照合しながら検索し、十分に一致度が高いものを選んで、その個人レコードを取り出して、暗証情報との照合を行うものであるが、次のような処理手順により実施されることを特徴としている。
【００１９】
検索対象である登録データベース２００は、固有の区分コード０２１ごとに、生体照合における他人許容率に基づいてあらかじめ定められた一定標本数以下のサイズのデータベース区分２０１に区分されており、また、データベース区分２０１内の各個人レコードには、生体情報と合わせて暗証情報（パスワード）０３が含まれており、個人認証の際には、生体情報０１と同時に区分コードと暗証情報（パスワード）とを組み合わせた組合せ照合情報０２が与えられ、組合せ照合情報０２の中の区分コード０２１で示されるデータベース区分２０１に限って、生体情報照合部１０２にて、生体情報照合による検索を行うとともに、生体情報が一致して候補となった個人レコードに含まれる暗証情報（パスワード）０３と組合せ照合情報０２の中の暗証情報（パスワード）とを、暗証情報照合部１０３にて、照合することによって、個人認証を行う。
【００２０】
（実施例の動作の説明）
まず、図１を参照して、本発明に基づく実施例の構成を説明する。図１は、本発明による個人認証装置の構成と、その動作の一例を説明するための概念図である。
【００２１】
図１において、個人情報入力部１００は、ＣＣＤカメラや半導体センサ等からなる生体情報入力装置と、テンキーやタッチパネル等からなる組合せ照合情報入力装置との組合せから構成されており、それぞれに入力される個人の生体情報０１と組合せ照合情報０２とを取得するものである。ここで、生体情報入力装置と組合せ照合情報入力装置とは分離されて、相互に接続されている構成であっても良いし、両者が一体化された装置として構成されていても良い。個人情報入力部１００に入力された個人の生体情報０１と組合せ照合情報０２とは、一つの個人情報として纏められて、個人認証装置本体に送られる。
【００２２】
生体情報入力装置に入力される生体情報０１としては、指紋や虹彩パターン、静脈パターンなどが挙げられるが、バイオメトリクス技術によって、自動的に個人識別を行うことが可能な生体情報であれば、その種類は問わない。また、生体情報を入力する機能素子は、その目的に適したものであれば良く、これも種類は問わない。以下の本実施例においては、説明を簡明にするために、一例として指紋を用いるものとする。
【００２３】
一方、組合せ照合情報入力装置に入力される組合せ照合情報０２は、個人認証情報を登録している登録データベース２００の区分つまりデータベース区分２０１を指定する区分コード０２１と秘匿性を有して個人を特定することができる暗証情報０２２とを連続して一体化した組合せ情報であり、例えば、ランダムな数字列や、手書き筆跡情報、特定のカラー順序パターンなどからなっている。組合せ照合情報０２の入力を受け付ける機能素子は、組合せ照合情報０２をランダムな数字列とする場合には、テンキーやタッチパネル、組合せ照合情報０２を手書き筆跡情報とする場合には、手書き入力パッドなど、入力情報の形態に適したものからなる。以下の本実施例においては、説明を簡明にするために、組合せ照合情報０２の一例としてランダムな数字列を用い、テンキーから入力するものとする。
【００２４】
個人情報入力部１００は、これらの生体情報入力素子と組合せ照合情報入力素子との組合せからなっており、両者の一体型であることが望ましいが、ほぼ同時に操作できる程度に入力素子同士が近接していれば、前述のように、必ずしも一体型である必要はなく、両者を接続した形態で近接配置すれば良い。
【００２５】
認識評価対象の個人(以下、ユーザと記載する)は、図２に示すように、生体情報０１である指紋および組合せ照合情報０２である区分コード０２１と暗証番号０２２とを示す数字列を個人情報入力部１００に入力する。ここで、本発明においては、生体情報０１と組合せ照合情報０２との入力はいずれを先に行うようにしても良く、その入力順序は問わない。図２は、本発明による個人認証装置の個人情報入力部１００に入力する個人情報の入力イメージを説明する説明図である。個人情報入力部１００は、図２に示すように、入力された認識評価対象のユーザの生体情報０１と組合せ照合情報０２とを取得して、両者を組み合わせて個人認証装置本体に送信する。
【００２６】
個人認証装置本体においては、個人情報入力部１００から送信されてきた情報をすべて入力情報処理部１０１に受け渡す。ここに、入力情報処理部１０１は、個人情報入力部１００に入力された情報を個人の照合情報として扱えるように処理する構成要素であり、生体情報０１については、照合可能な形式に変換して、照合用生体情報０１１として、生体情報照合部１０２に出力する。また、入力情報処理部１０１は、組合せ照合情報０２から区分コード０２１を切り出して、個人認証情報を登録している登録データベース２００の中から検索照合すべき対象とするデータベース区分２０１を指定する情報として、生体情報照合部１０２に出力するとともに、組合せ照合情報０２から個人を特定する暗証番号０２２を切り出して、暗証番号照合部１０３に出力する。
【００２７】
生体情報０１は、前述のように、例えば指紋の場合には、通常、画像情報であるので、生体情報照合部１０２の照合アルゴリズムが特徴点照合方式を用いている場合であれば、入力情報処理部１０１は、入力されてきた画像情報（指紋）の中から特徴点を抽出して照合利用可能な照合用生体情報０１１に変換する。つまり、入力情報処理部１０１において変換して出力される照合用生体情報０１１は、特徴点情報などである。一方、生体情報照合部１０２の照合アルゴリズムがパターンマッチング方式を用いている場合であれば、入力情報処理部１０１は、入力されてきた画像情報（指紋）を照合に利用可能な正規化された画像情報などに変換して照合用生体情報０１１として出力する。
【００２８】
また、入力情報処理部１０１は、前述のように、組合せ照合情報０２の中から区分コード０２１を切り出して、生体情報照合部１０２に出力する。区分コード０２１は、図２における例では、組合せ照合情報０２の数字列の先頭の２桁（例えば図２に示す例では‘３１’など）であり、生体照合における他人許容率に基づいてあらかじめ定められたサイズごとに区分された登録データベース２００の中のデータベース区分２０１を特定する情報である。また、入力情報処理部１０１は、組合せ照合情報０２から個人ごとの秘匿性を有する暗証番号０２２を切り出し、前述のように、暗証番号照合部１０３に受け渡すが、暗証番号照合部１０３においては、生体情報照合部１０２にて、区分コード０２１によって特定されたデータベース区分２０１の各個人レコードのうち、照合用生体情報０１１と一致している個人レコードに含まれている暗証番号との照合を行う。
【００２９】
図３は、本発明による個人認証装置の登録データベース２００の構成の一例を示すデータ構成図である。登録データベース２００は、図３に一例を示すように、多数のユーザに関する個人認証情報を登録した各個人レコード２０２の集合体であるが、ユーザごとの各個人認証情報を記録する個人レコード２０２としては、少なくとも、生体情報、暗証情報を含み、さらには、場合によっては、図３に示すように、各ユーザが利用しようとする機能について割り当てた個人ＩＤを含んで構成されている。さらに、登録データベース２００は、生体情報照合アルゴリズムとして誤認が発生する確率を示す他人許容率に基づいて与えられる母集団の最大比較標本数以下の範囲内のレコード数の個人レコード２０２の集合を単位としたデータベース区分２０１ごとに区分されており、それぞれのデータベース区分２０１には区分コードが与えられている。
【００３０】
生体情報照合部１０２は、入力情報処理部１０１から受け取った区分コード０２１により特定された登録データベース２００中のデータベース区分２０１に含まれている各個人レコード２０２を順次読み出して、該個人レコード２０２に含まれている生体情報を、入力情報処理部１０１から受け取った照合用生体情報０１１と照合していく。照合用生体情報０１１と十分に一致すると判断された生体情報を含む個人レコード２０２を検出すると、当該個人レコード２０２を抽出する。ここで、区分コード０２１により特定された一つのデータベース区分２０１に含まれるレコード数は、前述のように、生体情報照合アルゴリズムの他人許容率からくる限界以下の標本数に設定されているため、誤って、他人が選択される可能性は極めて低い。
【００３１】
生体情報照合部１０２による生体情報の照合検索動作により、照合用生体情報０１１と十分に一致する個人レコードとして抽出された個人レコード２０２からは、暗証情報０３と個人ＩＤとが取り出されて、暗証番号照合部１０３に受け渡される。
【００３２】
暗証番号照合部１０３は、生体情報照合部１０２から入力されてきた暗証情報０３と入力情報処理部１０１から受け取った暗証情報０２２とを照合し、一致した場合、当該個人レコード２０２に含まれている個人ＩＤ情報０４を個人ＩＤ処理部１０４に出力する。
【００３３】
個人ＩＤ処理部１０４は、個人ＩＤによる認識動作を必要とする何らかの機能に対して、暗証番号照合部１０３から入力されてくる個人ＩＤつまり認識評価対象のユーザを特定するＩＤを引き渡す。而して、ユーザが入力してきた生体情報０１と組合せ照合情報０２に含まれている暗証番号０２２との照合による個人認証が得られた場合にのみ、個人認証が得られた登録データベース２００中の個人レコード２０２にあらかじめ設定登録されている個人ＩＤが自動的に抽出されて、ユーザの認識動作を必要とする機能の起動が要求されている場合には個人ＩＤによる認識動作が自動的に実施される。
【００３４】
（効果の説明）
以上に詳細に説明したように、本実施例においては、ユーザが入力する組合せ照合情報０２に含まれる区分コード０２１は、個人情報の照合検索を行う母集団を指定し、かつ、各母集団のレコード数は、生体照合における他人許容率の制限から与えられる最大標本数の限界以下に設定されているため、区分コード０２１にて指定された母集団中において他人を誤って検索してしまう誤認をほぼ完全に抑えることができる。
【００３５】
また、最大標本数の限界以下の母集団として生体情報の照合検索の対象レコード数が限られるため、個人認証に要する処理時間を短縮することができる。
【００３６】
また、ユーザが入力する生体情報０１自体は、秘密情報にはなり得ないが、ユーザが入力する組合せ照合情報０２は、パスワードと同様に、個人が管理する秘密情報であり、これにより、セキュリティを実現することが可能になる。
【００３７】
また、生体情報０１とともに入力する組合せ照合情報０２は、従来の個人ＩＤの長さと比較してさほど長いものではなく（例えば、図２に示す例では８桁）、また、区分コード０２１と暗証番号０２２とが一つの情報として組合わされているため、各ユーザは、組合せ照合情報０２を記憶する際の負担が少なくて済み、生体情報を用いた生体照合のメリットの一つである簡便さを大きく損なうこともない。
【００３８】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のようは構成として表現できる。
【００３９】
（２）入力された前記生体情報を前記登録データベースに登録された個人認証用の生体情報と照合する際に、当該生体情報とともに入力された前記組合せ照合情報に含まれる前記区分コードにより指定された前記データベース区分に範囲内に限って、登録された個人認証用の生体情報と照合する上記（１）の個人認証装置。
（３）入力された前記生体情報と前記区分コードにより指定された前記データベース区分内の個人認証用の生体情報とが一致する個人レコードが検出された場合、さらに、当該個人レコードに記憶されている個人認証用の暗証情報と、生体情報とともに入力された前記組合せ照合情報に含まれる前記暗証情報との照合を行い、両者の暗証情報が一致していた場合に、個人認証が得られる上記（２）の個人認証装置。
（４）前記登録データベースに必要に応じて個人識別用の個人ＩＤ情報を、個人認証用の前記生体情報と前記暗証情報とともに記憶し、入力された前記生体情報と前記組合せ照合情報との照合により個人認証が得られた前記個人レコードに前記個人ＩＤ情報が記憶されている場合、該個人ＩＤ情報を読み出して、前記生体情報と前記組合せ照合情報とを入力したユーザが起動しようとしている機能に対して、自動的に出力する上記（１）ないし（３）のいずれかの個人認証装置。
（５）生体情報を用いて個人認証を行う個人認証方法であって、前記生体情報と個人認証用の組合せ照合情報との双方を入力して、前記生体情報と前記組合せ照合情報とのそれぞれが個人認証用の登録データベースに登録されていた場合に、個人認証が得られる個人認証方法において、前記組合せ照合情報が、前記登録データベースの領域を区分する区分コードと個人の秘密となる暗証情報との組合せにより構成されており、かつ、前記区分コードが、前記生体情報に関する他人許容率に基づいて、他人を誤認しない最大標本数以下の範囲内に前記登録データベースの全母集団を区分したデータベース区分を特定する情報である個人認証方法。
（６）入力された前記生体情報を前記登録データベースに登録された個人認証用の生体情報と照合する際に、当該生体情報とともに入力された前記組合せ照合情報に含まれる前記区分コードにより指定された前記データベース区分に範囲内に限って、登録された個人認証用の生体情報と照合する上記（５）の個人認証方法。
（７）入力された前記生体情報と前記区分コードにより指定された前記データベース区分内の個人認証用の生体情報とが一致する個人レコードが検出された場合、さらに、当該個人レコードに記憶されている個人認証用の暗証情報と、生体情報とともに入力された前記組合せ照合情報に含まれる前記暗証情報との照合を行い、両者の暗証情報が一致していた場合に、個人認証が得られる上記（６）の個人認証方法。
（８）前記登録データベースに必要に応じて個人識別用の個人ＩＤ情報を、個人認証用の前記生体情報と前記暗証情報とともに記憶し、入力された前記生体情報と前記組合せ照合情報との照合により個人認証が得られた前記個人レコードに前記個人ＩＤ情報が記憶されている場合、該個人ＩＤ情報を読み出して、前記生体情報と前記組合せ照合情報とを入力したユーザが起動しようとしている機能に対して、自動的に出力する上記（５）ないし（７）のいずれかの個人認証方法。
（９）上記（５）ないし（８）のいずれかの個人認証方法を、コンピュータにより実行可能なプログラムとして実施している個人認証プログラム。
（１０）上記（９）の個人認証プログラムを、コンピュータにより読み取り可能な記録媒体に記録しているプログラム記録媒体。
【図面の簡単な説明】
【００４０】
【図１】本発明による個人認証装置の構成とその動作の一例を説明するための概念図である。
【図２】本発明による個人認証装置に入力する個人情報の入力イメージを説明する説明図である。
【図３】本発明による個人認証装置の登録デーテベースの構成の一例を示すデータ構成図である。
【符号の説明】
【００４１】
０１        生体情報
０１１      照合用生体情報
０２        組合せ照合情報
０２１      区分コード
０２２      暗証番号（暗証情報）
０３        暗証情報
０４        個人ＩＤ情報
１００      個人情報入力部
１０１      入力情報処理部
１０２      生体情報照合部
１０３      暗証番号照合部
２００      登録データベース
２０１      データベース区分
２０２      個人レコード
【図１】
0004654421.tif 000002
【図２】
0004654421.tif 000003
【図３】
0004654421.tif 000004